(57)【要約】【課題】コンテンツのムーブバックを簡単に実現できるようにする。【解決手段】コンテンツ２１は、記録媒体１２にムーブアウトされており、記録装置１１側では再生不能な不活性状態であるとする。この状態で、記録装置１１と記録媒体１２とが接続されると、記録媒体１２内のコンテンツIDと、記録装置１１内に再生管理情報として含まれるコンテンツIDとの照合が行われる。この場合、コンテンツ２１のコンテンツIDが一致するので、記録装置１１側のコンテンツ２１の状態が、不活性状態から、再生が一時的に可能となる一時的活性状態に遷移する。即ち、記録装置１１側で、コンテンツデータ２１−Ｏによるコンテンツ２１の再生が一時的に可能になる。その後、接続が切断されると、記録装置１１側でのコンテンツ２１が不活性状態になる。例えばコンテンツを送受信して再生を行う再生装置に適用可能である。【選択図】図２
2009048265.tif 000002
【特許請求の範囲】
【請求項１】
コンテンツの再生を制御する情報処理装置において、
コンテンツの再生可否を、再生可能な活性状態と、再生不可能な不活性状態とに分類して管理する管理手段を備え、
前記管理手段は、
ムーブ先の記録媒体にコンテンツがムーブアウトされたとき、前記コンテンツの状態を前記不活性状態に遷移させ、
その後、前記記録媒体を占有して前記情報処理装置の管理下においたとき、前記コンテンツの状態を前記不活性状態から前記活性状態に一時的に遷移させる
情報処理装置。
【請求項２】
前記管理手段は、さらに、
前記記録媒体を占有して前記情報処理装置の管理下においた後、その管理下から前記記録媒体を外したとき、前記コンテンツの状態を前記一時的な活性状態から前記不活性状態に遷移させる
請求項１に記載の情報処理装置。
【請求項３】
前記記録媒体にムーブアウトされた前記コンテンツの再生についてのレジューム情報を、前記記録媒体から取得する取得手段と、
前記管理手段により前記記録媒体が占有されて前記情報処理装置の管理下におかれた結果、前記一時的な活性状態に遷移した前記コンテンツの再生の制御として、前記取得手段により取得された前記レジューム情報で特定される再生位置から再生を開始させる再生制御手段と
をさらに備える請求項１に記載の情報処理装置。
【請求項４】
前記管理手段は、さらに、
前記再生制御手段により再生が開始された前記コンテンツの再生が停止した時、前記記録媒体側の前記レジューム情報の内容を、再生が停止したときの再生位置を示す内容に更新する
請求項３に記載の情報処理装置。
【請求項５】
コンテンツの再生を制御する情報処理装置の情報処理方法において、
コンテンツの再生可否を、再生可能な活性状態と、再生不可能な不活性状態とに分類して管理する管理ステップとして、
ムーブ先の記録媒体にコンテンツがムーブアウトされたとき、前記コンテンツの状態を前記不活性状態に遷移させ、
その後、前記情報処理装置が前記記録媒体を占有してその管理下においたとき、前記コンテンツの状態を前記不活性状態から前記活性状態に一時的に遷移させる
ステップを含む情報処理方法。
【請求項６】
コンテンツの再生を制御する再生装置を制御するコンピュータに、
コンテンツの再生可否を、再生可能な活性状態と、再生不可能な不活性状態とに分類して管理する管理ステップとして、
ムーブ先の記録媒体にコンテンツがムーブアウトされたとき、前記コンテンツの状態を前記不活性状態に遷移させ、
その後、前記再生装置が前記記録媒体を占有してその管理下においたとき、前記コンテンツの状態を前記不活性状態から前記活性状態に一時的に遷移させる
ステップを実行させるプログラム。
【発明の詳細な説明】
【技術分野】
【０００１】
本発明は、情報処理装置および方法並びにプログラムに関し、特に、コンテンツのムーブアウト時の処理速度を高速にできるようになった情報処理装置および方法並びにプログラムに関する。
【背景技術】
【０００２】
近年、映像や音声などのコンテンツが広く利用されるようになり、また、これらのコンテンツをデジタルデータとして記録／再生することが可能な記録再生装置の普及も進んでいる。例えば、DVD（Digital Versatile Disc）やHDD（Hard Disc Drive）などに放送コンテンツをデジタルデータとして保存可能な記録装置が急速に普及している。また、放送衛星を用いたデジタル放送に次いで、最近では地上波によるデジタル放送も開始されている。これらのデジタル放送では、従来の放送より高解像度であるHDV（High Definition Television）の映像が放送されており、このような放送コンテンツをそのままの画質で光ディスクなどに記録可能な記録装置の開発も進んでいる。
【０００３】
ここに、コンテンツとは、広く、人間の創造的活動により生み出されるものである。例えば、映画、音楽、演劇、文芸、写真、漫画、アニメーション、コンピュータゲームその他の文字、図形、色彩、音声、動作若しくは映像若しくはこれらを組み合わせたものまたはこれらに係る情報を電子計算機を介して提供するためのプログラムが、コンテンツの一例である。以下、これらのうちの、主に映像を含むコンテンツを映像コンテンツと称する。
【０００４】
このように、高品質の映像コンテンツが可搬型の記録媒体に容易に保存できるようになるのに伴い、映像コンテンツの著作権保護の重要性が高まってきている。映像コンテンツに対する著作権保護の手法としては、映像コンテンツにコピーの可否を示すコピー制御情報（CCI：Copy Control Information ）を添付する手法が現在一般的に用いられている。例えば、コピー制御情報を用いることで、各映像コンテンツについて、コピーを制限しない状態（コピーフリー，Copy Free ）、１回のみのコピーを許可する状態（コピーワンス，Copy Once ）、コピーを禁止する状態（コピーネバー，Copy Never ）などの状態を取らせることが可能になる。なお、上述したデジタル放送では現在、すべての映像コンテンツについて“コピーワンス”を示すコピー制御情報が添付されており、記録装置は通常、このような映像コンテンツを“コピーネバー”としてから記録媒体に記録する。
【０００５】
また、“コピーネバー”とされて記録媒体に記録された映像コンテンツは、その記録媒体側での元のデータの消去を条件に、別の記録媒体にコピーすることが許可される。このような元のデータを消去して別の記録媒体にコピーする動作は“ムーブ（Move ）”と称されている。これにより例えば、映像コンテンツが、デジタル放送などを通じて記録装置に受信されて、その記録装置内のHDDに記録された場合、ユーザがその映像コンテンツを長期保存したい考えたときには、DVDなどのリムーバブルメディアにムーブすることが可能となる。その結果、ユーザの利便性の向上と、不正な大量コピーの防止との両立が図られる。
【０００６】
さらに、ムーブ先にコピーされた映像コンテンツは、そのムーブ先での消去を条件に、ムーブ元に再コピーが可能である。即ち、ムーブ元からムーブ先への１回目のムーブと、その後のムーブ先からムーブ元への２回目のムーブとが可能である。以下、１回目のムーブをムーブアウトと称し、２回目のムーブをムーブバックと称する。
【０００７】
このようなムーブアウトやムーブバックを可能とする従来の装置としては、例えば特許文献１や２に開示された装置が挙げられる。
【特許文献１】特開２００６−４５４３号公報
【特許文献２】特開２００６−１０７１６５号公報
【発明の開示】
【発明が解決しようとする課題】
【０００８】
しかしながら、特許文献１や２を含む従来の装置では、ムーブアウトするためにはコンテンツデータをムーブ先に必ず転送する必要があった。そのため、同一コンテンツのムーブアウトとムーブバックとが繰り返される場合、ムーブアウトの度にコンテンツデータの転送時間が必要になる、という問題があった。
【０００９】
本発明は、このような状況に鑑みてなされたものであり、コンテンツのムーブアウト時の処理速度を高速にできるようにするものである。
【課題を解決するための手段】
【００１０】
本発明の一側面の情報処理装置は、コンテンツの再生を制御する情報処理装置であって、コンテンツの再生可否を、再生可能な活性状態と、再生不可能な不活性状態とに分類して管理する管理手段を備え、前記管理手段は、ムーブ先の記録媒体にコンテンツがムーブアウトされたとき、前記コンテンツの状態を前記不活性状態に遷移させ、その後、前記記録媒体を占有して前記情報処理装置の管理下においたとき、前記コンテンツの状態を前記不活性状態から前記活性状態に一時的に遷移させる。
【００１１】
前記管理手段は、さらに、前記記録媒体を占有して前記情報処理装置の管理下においた後、その管理下から前記記録媒体を外したとき、前記コンテンツの状態を前記一時的な活性状態から前記不活性状態に遷移させる。
【００１２】
前記記録媒体にムーブアウトされた前記コンテンツの再生についてのレジューム情報を、前記記録媒体から取得する取得手段と、前記管理手段により前記記録媒体が占有されて前記情報処理装置の管理下におかれた結果、前記一時的な活性状態に遷移した前記コンテンツの再生の制御として、前記取得手段により取得された前記レジューム情報で特定される再生位置から再生を開始させる再生制御手段とを備える。
【００１３】
前記管理手段は、さらに、前記再生制御手段により再生が開始された前記コンテンツの再生が停止した時、前記記録媒体側の前記レジューム情報の内容を、再生が停止したときの再生位置を示す内容に更新する。
【００１４】
本発明の一側面の情報処理方法およびプログラムは、上述した本発明の一側面の情報処理装置に対応する方法およびプログラムである。
【００１５】
本発明の一側面の情報処理装置および方法並びにプログラムにおいては、コンテンツの再生可否を、再生可能な活性状態と、再生不可能な不活性状態とに分類して管理する処理として、次のような処理が実行される。即ち、ムーブ先の記録媒体にコンテンツがムーブアウトされたとき、前記コンテンツの状態が前記不活性状態に遷移される。その後、情報処理装置によって前記記録媒体が占有されてその管理下におかれたとき、前記コンテンツの状態が前記不活性状態から前記活性状態に一時的に遷移される。
【発明の効果】
【００１６】
以上のごとく、本発明の一側面によれば、コンテンツのムーブアウトやムーブバックが実現できる。特に、ムーブアウト時の処理を、従来と比較してより一段と高速な処理で実現できる
【発明を実施するための最良の形態】
【００１７】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１８】
本発明の一側面の情報処理装置（例えば図４の記録装置１１）は、
コンテンツの再生を制御する情報処理装置であって、
コンテンツの再生可否を、再生可能な活性状態と、再生不可能な不活性状態とに分類して管理する管理手段（例えば図４の制御部１０１）を備え、
前記管理手段は、
ムーブ先の記録媒体にコンテンツがムーブアウトされたとき、前記コンテンツの状態を前記不活性状態に遷移させ（例えば図１参照）、
その後、前記記録媒体を占有して前記情報処理装置の管理下においたとき、前記コンテンツの状態を前記不活性状態から前記活性状態に一時的に遷移させる（例えば図２参照）。
【００１９】
前記管理手段は、さらに、
前記記録媒体を占有して前記情報処理装置の管理下においた後、その管理下から前記記録媒体を外したとき、前記コンテンツの状態を前記一時的な活性状態から前記不活性状態に遷移させる（例えば図３参照）。
【００２０】
前記記録媒体にムーブアウトされた前記コンテンツの再生についてのレジューム情報を、前記記録媒体から取得する取得手段（例えば図４の通信制御部１０４）と、
前記管理手段により前記記録媒体が占有されて前記情報処理装置の管理下におかれた結果、前記一時的な活性状態に遷移した前記コンテンツの再生の制御として、前記取得手段により取得された前記レジューム情報で特定される再生位置から再生を開始させる再生制御手段（例えば図４のコンテンツ処理部１０５）と
をさらに備える。
【００２１】
前記管理手段は、さらに、
前記再生制御手段により再生が開始された前記コンテンツの再生が停止した時、前記記録媒体側の前記レジューム情報の内容を、再生が停止したときの再生位置を示す内容に更新する（例えば図７の再生停止処理を実行する）。
【００２２】
本発明の一側面の情報処理方法およびプログラムは、例えば上述した本発明の一側面の情報処理装置に対応する方法およびプログラムである。かかるプログラムは、例えば図４の制御部１０１を含むコンピュータにより実行される。
【００２３】
はじめに、図１乃至図３を参照して、本発明が適用されるムーブバックとムーブアウトの手法（以下、本発明のムーブ手法と称する）の概略について説明する。
【００２４】
本発明のムーブ手法では、図１に示される状態が初期状態であるとする。
【００２５】
即ち、記録装置１１において、ムーブ対象候補の各コンテンツは、コンテンツID（図中IDのみ記載）とコンテンツデータとからなる１つのファイルとしてそれぞれ保持されているとする。また、記録装置１１において、各コンテンツのそれぞれに対して、それらの再生可否を管理する再生管理情報がそれぞれ生成され、ファイルとは別に保持されているとする。
【００２６】
そして、コンテンツ２１がムーブ対象とされ、記録装置１１が、そのコンテンツ２１を記録媒体１２にコピーし、かつ、元のデータである自身内部のコンテンツ２１を消去した状態であるとする。即ち、ムーブアウトが完了しているとする。
【００２７】
ここで、注意すべき点は、ムーブアウト時にムーブ元のコンテンツ２１が消去されるとは、本実施の形態では、ムーブ元からコンテンツデータ２１−Ｏの存在そのものが削除されるわけではない点である。即ち、コンテンツデータ２１−ＯやコンテンツID等を含むファイルとしてのコンテンツ２１の使用権が、ムーブ元の記録装置１１からムーブ先の記録媒体１２に移ったことが、ムーブアウト時にムーブ元のコンテンツ２１が消去されることの意味である。コンテンツ２１の使用権とは、例えばコンテンツ２１が映像コンテンツの場合には視聴権を意味する。
【００２８】
即ち、コンテンツデータ２１−Ｏそのものは、ムーブアウトされても、削除されずに記録装置１１に保持されたままである。その代わり、ムーブアウト前には、コンテンツデータ２１−Ｏによるコンテンツ２１の記録装置１１側での再生が可能であった状態が、ムーブアウトによって、コンテンツデータ２１−Ｏによるコンテンツ２１の記録装置１１側での再生が不可能な状態に遷移することになる。なお、以下、コンテンツが再生可能な状態を活性状態と適宜称する。これに対して、再生が不可能な状態を不活性状態と適宜称する。図１乃至図３の例では、記録装置１１に保持されている各コンテンツのうちの、活性状態にあるものは実線で示されており、不活性状態にあるものは点線で示されている。
【００２９】
このように、本実施の形態では、各コンテンツは、コンテンツIDで特定され、その再生可否状態が再生管理情報によって管理されている。即ち、本実施の形態では、１つのファイルとして構成される所定の１つのコンテンツに対して、そのコンテンツIDと、活性状態または不活性状態を示す情報とを含む再生管理情報が１つ作成され、ファイルとは別に保持されている。即ち、各コンテンツのそれぞれの再生管理情報が、記録装置１１に保持されている。
【００３０】
このような図１の状態を初期状態とした場合、本発明のムーブ手法は、図２と図３に示されるように実現される。
【００３１】
即ち、図２は、本発明のムーブ手法のうちの、ムーブバックの手法の概略を説明する図である。
【００３２】
記録装置１１と記録媒体１２とが有線または無線通信によって接続されると、記録装置１１は、記録媒体１２に格納されているコンテンツ２１のコンテンツIDを取得する。そして、記録装置１１は、取得したコンテンツIDと、記録装置１１中で不活性状態として管理されている各コンテンツIDとの照合をそれぞれ行う。本実施の形態では上述したように、記録装置１１中で不活性状態として管理されているコンテンツIDは、再生管理情報から得られる。即ち、記録装置１１は、不活性状態を示す情報を含む１以上の再生管理情報から各コンテンツIDをそれぞれ検索し、検索した各コンテンツIDと、記録媒体１２から取得したコンテンツIDとの照合をそれぞれ行う。
【００３３】
そして、検索した各コンテンツIDの中に、取得したコンテンツIDと一致するものが存在した場合、記録装置１１は、その一致したコンテンツIDを有するコンテンツの状態を、不活性状態から一時的活性状態に遷移させる。一時的活性状態とは、所定の条件が満たされている間のみ再生可能とする状態をいう。所定の条件については、特に限定されないが、例えば本実施の形態では、後述するように、接続中であることが採用されている。具体的には例えば、図２の例ではコンテンツ２１のコンテンツIDが一致することになるので、コンテンツ２１の状態が不活性状態から一時的活性状態に遷移する。即ち、記録装置１１は、コンテンツデータ２１−Ｏによるコンテンツ２１の再生を一時的に可能な状態にする。具体的には例えば本実施の形態では、コンテンツ２１の再生管理情報の一時的な更新、即ち、不活性状態を示す情報から一時的活性状態を示す情報への書き換え処理が実行される。
【００３４】
ただし、このとき、記録媒体１２は、記録装置１１と接続されることによって、記録装置１１によって占有されて、記録装置１１の管理下になったものとされる。かかる場合、記録媒体１２は、携帯型再生機などに内蔵もしくは同時に接続されていたとしても、携帯型再生機側ではコンテンツ２１の再生が不能となる。
【００３５】
即ち、記録媒体１２の占有とは、記録装置１１以外の別の装置が記録媒体１２にアクセスしない状態を意味している。一方、記録装置１１の管理下とは、記録装置が記録媒体１２にアクセスすることが可能な状態を意味している。即ち、「記録装置１１によって占有されて、記録装置１１の管理下になった」とは、記録装置１１とは別の装置、例えば、携帯型再生機等が記録媒体１２内のコンテンツ２１の再生、コピー、消去等を実行しない状態において、記録装置１１が記録媒体１２に対してアクセス可能であることを意味している。
【００３６】
このように、本発明のムーブバック手法を適用することで、ムーブアウト先のコンテンツデータ、例えば図２の例では記録媒体１２内のコンテンツデータ２１−Ｃを削除せずに、仮想的なムーブバック処理が実現可能となる。
【００３７】
図３は、本発明のムーブ手法のうちの、再ムーブアウトの手法の概略を説明する図である。
【００３８】
図２に示される状態、即ち、本発明のムーブバック手法によるムーブバック処理が行われた状態において、記録装置１１と記録媒体１２の接続が切断されると、即ち記録媒体１２が記録装置１１の管理下から外されると、記録装置１１はムーブアウト処理を直ちに開始する。即ち、記録装置１１は、一時的活性状態にあったコンテンツ２１を再び不活性状態に遷移させる。具体的には、再生管理情報におけるコンテンツ２１の内容の更新、即ち、一時的活性状態を示す情報から不活性状態を示す情報への書き換え処理が実行される。
【００３９】
これに伴い、記録媒体１２内のコンテンツ２１は、他の携帯型再生機などで再生することが可能となる。
【００４０】
また、図示はしないが、前述の図２のムーブバック処理が行われた状態において、記録装置１１と記録媒体１２とが接続され、その接続が切断される前に、記録媒体１２からコンテンツデータ２１−Ｃが削除されれば、記録装置１１は、対応するコンテンツIDを有するコンテンツ２１の状態を不活性状態から、一時的活性状態ではなく、活性状態に遷移させる。または、一時的活性状態に遷移した後、活性状態に遷移する。具体的には例えば本実施の形態では、コンテンツ２１の再生管理情報の内容の更新、即ち、活性状態を示す情報に完全に書き換える処理が実行される。この場合、その後、記録装置１１と記録媒体１２の接続が切断された場合にも、コンテンツ２１の活性状態は維持されることになる。即ち、記録装置１１と記録媒体１２の接続が切断された場合においても、記録装置１１側でのコンテンツデータ２１−Ｏによるコンテンツ２１の再生が可能になる。
【００４１】
以上説明したように、本発明のムーブ手法を適用することで、ムーブアウト先のコンテンツの実データは削除されずに、即ち、上述した図１乃至図３の例では記録媒体１２のコンテンツデータ２１−Ｃは削除されずに、ムーブバック処理（図２参照）が実現可能になる。これにより、再度のムーブアウト処理（図３参照）では、コンテンツの実データの再転送は一切不要になる。
【００４２】
従って、再度のムーブアウトの処理時間が短縮でき、ユーザの利便性が向上する、という効果を奏することが可能になる。即ち、近年の記録媒体の記録容量の増大に伴い、コンテンツデータの容量も増加傾向にあり、このような大容量コンテンツデータの転送には長時間が必要であり、その分だけ、再度のムーブアウトの処理時間も長時間必要であった。これに対して、本発明の再度のムーブアウト処理（図３参照）では、大容量コンテンツデータの再転送は一切不要になるので、その転送時間が不要となる分だけ、再度のムーブアウトの処理時間が短縮でき、ユーザの利便性が向上する、という効果を奏することが可能になる。
【００４３】
また、記録装置１１は、記録媒体１２を管理下においているときのみに、記録装置１１内の元コンテンツを再生可能とするため、セキュリティも損なわれない、という効果を奏することも可能である。
【００４４】
以上、図１乃至図３を参照して、本発明のムーブ手法の概略を説明した。かかる本発明のムーブ手法が適用された記録装置１１、即ち、本発明を適用した情報処理装置の一実施の形態としての記録装置１１の構成例を示すブロック図が、図４に示されている。
【００４５】
図４の例の記録装置１１は、例えば、内蔵する記憶部１０６または外部のリムーバブルメディア１０８をムーブ元として、そのムーブ元に保持されているコンテンツをムーブ対象として、ムーブ先である記録媒体１２との間でムーブアウトやムーブバックを行うことができる。なお、ムーブ先は、記録媒体１２に限定されない。具体的には例えば、ムーブ元が記憶部１０６である場合には、リムーバブルメディア１０８をムーブ先とすることも可能である。
【００４６】
このような記録装置１１は、制御部１０１乃至ドライブ１０７を含むように構成されている。
【００４７】
制御部１０１は、記録装置１１全体の動作を制御する。例えば、制御部１０１は、後述するコンテンツ処理部１０５や通信制御部１０４等の動作を制御する。その制御を実行する際、制御部１０１は、必要に応じて、ROM（Read Only Memory）１０２、または記憶部１０６に記憶されているプログラムに従って各種の処理を実行することができる。RAM（Random Access Memory）１０３には、制御部１０１が実行するプログラムやデータなどが適宜記憶される。例えば本実施の形態では、上述した再生管理情報がRAM１０３に記憶される。なお、再生管理情報は、後述する記憶部１０６に記憶されるようにしてもよい。
【００４８】
通信制御部１０４は、外部との通信を制御する。例えば図４の例では、初回のムーブアウト時（図１参照）には、通信制御部１０４は、コンテンツ処理部１０５から提供されるムーブ対象、即ち、コンテンツデータとそのコンテンツIDとを含むファイルを、記録媒体１２に送信する。
【００４９】
一方、ムーブバック時には（図２参照）、通信制御部１０４は、記録媒体１２との接続を検出すると、記録媒体１２から送信されてくるコンテンツIDを受信し、コンテンツ処理部１０５に提供する。
【００５０】
また、ムーブバック後のムーブアウト時、即ち、２回目以降のムーブアウト時（図３参照）には、通信制御部１０４は、記録媒体１２との切断を検出し、その検出結果をコンテンツ処理部１０５に通知する。
【００５１】
また、通信制御部１０４は、制御部１０１から提供された制御信号（例えばコマンド）を記録媒体１２に送信することで、記録媒体１２自体、または、その記録媒体１２が装着若しくは内蔵された外部機器の動作を制御することができる。
【００５２】
この場合、通信制御部１０４と記録媒体１２（または記録媒体１２が装着若しくは内蔵された外部機器）とは、例えば専用のi.LINKケーブルにより接続されることで、上述した通信の制御が実現される。ここで、i.LINKとは、本出願人であるソニー株式会社の商標であり、IEEE（Institute of Electrical and Electronics Engineers）1394の高速デジタルシリアルインターフェースである。従って、通信制御部１０４は、記録媒体１２（または記録媒体１２が装着若しくは内蔵された外部機器）と制御部１０１との間や、記録媒体１２（または記録媒体１２が装着若しくは内蔵された外部機器）とコンテンツ処理部１０５との間等で、IEEE1394の規格に従って送受信される各種情報の中継を行うことができる。
【００５３】
或いは、通信制御部１０４は、i.LINKの代わりに、USB（Universal Serial Bus）等の別のインタフェースを利用して、上述した通信制御を実現させてもよい。
【００５４】
また例えば、通信制御部１０４は、放送信号、例えば、地上アナログ放送信号、ＢＳアナログ放送信号、地上デジタル放送信号、ＢＳデジタル放送信号等を受信し、その結果得られるテレビジョン番組の映像信号をコンテンツデータとしてコンテンツ処理部１０５に提供することもできる。
【００５５】
また例えば、通信制御部１０４は、インターネット等のネットワークとの接続機能を有し、所定のネットワークを介する同報配信によって送信される所定のデータ等を受信して、それをコンテンツデータとしてコンテンツ処理部１０５に提供することもできる。
【００５６】
コンテンツ処理部１０５は、コンテンツに対する各種処理を実行することができる。ここで、各種処理には、コンテンツデータの形態を変換する処理が含まれる。コンテンツデータの形態を変換する処理としては、例えば、通信制御部１０４から映像信号の形態で提供されるコンテンツデータに対してMPEG（Moving Picture Experts Group）方式等の圧縮符号化方式に従った圧縮符号化（エンコード）処理を施すことで符号化データの形態に変換する処理も含まれる。また、その逆変換処理、即ち、符号化データに対してMPEG方式等の圧縮符号化方式に対応する方式に従った伸張復号（デコード）処理を施すことで映像信号の形態に変換する処理もまた、コンテンツデータの形態を変換する処理の一例として含まれる。その他、各種処理には、記憶部１０６またはリムーバブルメディア１０８に対するコンテンツデータの書き出し、読出し、或いは削除のための制御処理や、通信制御部１０４または制御部１０１との間でのコンテンツデータの授受のための制御処理等が含まれる。
【００５７】
記憶部１０６は、例えばハードディスクドライブ（適宜HDDと略記する）等から構成され、コンテンツ処理部１０５から提供されるコンテンツ（コンテンツデータやコンテンツIDを含むファイル）等を記憶する。また、記憶部１０６は、記憶されているコンテンツ等を読み出して、コンテンツ処理部１０５に提供する。
【００５８】
ドライブ１０７は、コンテンツ処理部１０５から提供されるコンテンツ等をリムーバブルメディア１０８に記録させる。また、ドライブ１０７は、リムーバブルメディア１０８に記録されたコンテンツ等を読み出して、コンテンツ処理部１０５に提供する。
【００５９】
リムーバブルメディア１０８は、磁気ディスク（フレキシブルディスクを含む）、光ディスク（CD-ROM(Compact Disc-Read Only Memory)、DVD(Digital Versatile Disc)、BD（Blu-ray Disc Founders）を含む）、光磁気ディスク（ＭＤ(Mini Disc)を含む）、磁気テープ、もしくは半導体メモリなどで構成することができる。
【００６０】
次に、このような図４の構成の記録装置１１が、本発明のムーブ手法を実現するための各種処理の一例について、図５乃至図８のフローチャートを参照して説明する。
【００６１】
以下の説明では、記録媒体１２はメモリカードで構成されており、かかるメモリカードが携帯型端末等の外部機器に装着された状態であることを前提とする。この場合、記録装置１１と直接接続される対象は、メモリカードではなく外部機器であるとする。ただし、記録装置１１と外部機器が直接接続されることによって、結果として、外部機器に装着されたメモリカードが、記録装置１１と接続されることになる。
【００６２】
図５は、記録装置１１とメモリカードとが接続された際の記録装置１１の処理（以下、接続時処理と称する）の一例を示すフローチャートである。
【００６３】
ステップＳ１において、制御部１０１は、通信制御部１０４を制御して、メモリカードとの接続を検出したか否かを判定する。
【００６４】
例えばこのステップＳ１の処理は、所定周期毎に実行されるとする。即ち、所定周期毎に、メモリカードとの接続有無の確認が行われるとする。かかる確認の際、メモリカードが接続されていなかった場合、ステップＳ１の処理でＮＯであると判定されて、接続時処理は終了となる。
【００６５】
これに対して、かかる確認の際、メモリカードが接続されていた場合には、ステップＳ１の処理でＹＥＳであると判定されて、処理はステップＳ２に進む。
【００６６】
図５では図示はしないが、ステップＳ１の処理でＹＥＳであると判定した場合には、制御部１０１は、通信制御部１０４を制御して、記録媒体１２を記録装置１１の管理下におく処理を実行するとする。かかる処理の結果、外部機器は、記録媒体１２内のコンテンツを再生できなくなる。
【００６７】
ステップＳ２において、制御部１０１は、通信制御部１０４を制御して、メモリカードよりコンテンツ情報を取得して、コンテンツ処理部１０５を制御して、自身の保持するコンテンツ情報と照合する。
【００６８】
ここで、コンテンツ情報とは、各コンテンツのファイルに含まれるコンテンツデータ以外の情報をいう。即ち、上述の図１乃至図３の例では、コンテンツIDがコンテンツ情報となる。ただし、上述の図１乃至図３は例示に過ぎず、即ち、コンテンツIDはコンテンツ情報の一例にしか過ぎず、その他、コンテンツが暗号化されている場合にはその暗号化鍵（ライセンス情報）等もコンテンツ情報として採用し得る。この場合、かかるコンテンツ情報も再生管理情報に含まれる。
【００６９】
また、メモリカードより取得されたコンテンツ情報と照合される対象、即ち、自身の保持するコンテンツ情報とは、例えば記憶部１０６に記憶されている各コンテンツのそれぞれについての各再生管理情報、より詳細には、各再生管理情報に含まれるコンテンツIDを意味する。即ち、ステップＳ２の照合処理は、各再生管理情報のうちの、不活性状態を示す情報を含む再生管理情報のそれぞれに対して実行される。
【００７０】
不活性状態を示す情報を含む再生管理情報の中に、取得されたコンテンツ情報と一致するコンテンツ情報を含むものが存在しない場合、ステップＳ３の処理でＮＯであると判定されて、処理はステップＳ６に進む。ただし、ステップＳ６以降の処理については後述する。
【００７１】
これに対して、不活性状態を示す情報を含む再生管理情報の中に、取得されたコンテンツ情報と一致するコンテンツ情報を含むものが存在する場合、ステップＳ３の処理でＹＥＳであると判定されて、処理はステップＳ４に進む。
【００７２】
ステップＳ４において、制御部１０１は、コンテンツ処理部１０５を制御して、対応コンテンツの管理情報を、不活性状態から一時的活性状態へ変更する。
【００７３】
ここで、対応コンテンツとは、記憶部１０６にファイルとして記憶されている各コンテンツのうちの、メモリカードより取得されたコンテンツ情報と一致するコンテンツ情報を含む再生管理情報により管理されているコンテンツを意味する。
【００７４】
ステップＳ５において、制御部１０１は、通信制御部１０４とコンテンツ処理部１０５を制御して、メモリカード上のコンテンツのレジューム情報を、自身が保持する対応コンテンツのレジューム情報に反映する。
【００７５】
ここで、レジューム情報とは、例えば次のような情報をいう。即ち例えば、コンテンツの再生が途中で停止した後、そのコンテンツの再生が再度行われる場合、前回停止した時点の再生位置から再生が開始されると、ユーザにとって便宜である。そこで、前回停止した時点の再生位置を特定する情報、換言すると、次回再生する場合の開始位置を特定する情報を、レジューム情報として採用できる。本実施の形態でも、係る情報がレジューム情報として採用されているとする。
【００７６】
ステップＳ６において、制御部１０１は、通信制御部１０４を制御して、メモリカードの全てのコンテンツ情報の取得が完了したか否かを判定する。即ち、メモリカードには複数のコンテンツがムーブアウトされている可能性があるため、ステップＳ６の確認処理が実行されるのである。
【００７７】
メモリカードの全てのコンテンツ情報の取得がまだ完了していない場合、ステップＳ６の処理でＮＯであると判定されて、処理はステップＳ２に戻され、それ以降の処理が繰り返される。
【００７８】
これに対して、メモリカードの全てのコンテンツ情報の取得が完了している場合、ステップＳ６の処理でＹＥＳであると判定されて、接続時処理は終了となる。
【００７９】
このようにして、接続時処理が終了すると、メモリカード上の全コンテンツは、仮想的に記録装置１１にムーブバックされたことになる。よって、メモリカードと接続している限り、かかるコンテンツは記録装置１１側で再生が可能になる。
【００８０】
さらに、メモリカード上のコンテンツのレジューム情報が、記録装置１１自身が保持する対応コンテンツのレジューム情報に反映されている。よって、記録装置１１は、かかるレジューム情報を参照することで、外部機器で再生が停止された時点の再生位置から、コンテンツの再生を開始することができるようになる。即ち、ユーザにとっては、外部機器で視聴していた続きを、記録装置１１側で視聴できるようになる。
【００８１】
この場合、ユーザが視聴しているコンテンツは、メモリカードに再度ムーブアウトされる可能性がある。このような場合、さらに、記録装置１１側で視聴していた続きを、外部機器で視聴できるようになると、ユーザにとって便宜である。そこで、かかる視聴を可能とすべく、記録装置１１は、メモリカードが接続されている状態で、仮想的なムーブバックがなされたコンテンツを再生している最中、レジューム情報をメモリカード側にも反映させる処理を実行できる。かかる処理としては、例えば図６のフローチャートに従った処理（以下、図６の記載にあわせて再生中処理と称する）が、所定の周期毎に実行される。また、その再生が停止した際にも、記録装置１１は、レジューム情報をメモリカード側にも反映させる処理を実行できる。かかる処理としては、例えば図７のフローチャートに従った処理（以下、図７の記載にあわせて再生停止時処理と称する）が、所定の周期毎に実行される。
【００８２】
具体的には、再生中処理としては次のような処理が実行される。
【００８３】
即ち、図６のステップＳ２１において、制御部１０１は、コンテンツ処理部１０５を制御して、再生開始もしくは前回レジュームポイント変更から一定時間が経過したか否かを判定する。
【００８４】
まだ一定時間が経過していない場合、ステップＳ２１の処理でＮＯであると判定されて、再生中処理は終了となる。
【００８５】
これに対して、一定時間が経過した場合、処理はステップＳ２２に進む。ステップＳ２２において、制御部１０１は、通信制御部１０４を制御して、メモリカード上の対応コンテンツのレジューム情報を現在の再生位置に変更する。これにより、再生中処理は終了となる。
【００８６】
このように、再生中処理が実行されることで、次のような効果を奏することが可能になる。即ち、再生停止処理が実行される前に、記録装置１１とメモリカードとの接続が切断されたとしても、前回の再生中処理において現在の再生位置であった位置が、メモリカード側のレジューム情報に反映されている。よって、外部機器側で、対応コンテンツの再生をする場合には、その反映された位置、即ち、前回の再生中処理において現在の再生位置であった位置からの再生開始ができる、という効果を奏することが可能になる。
【００８７】
また、再生停止時処理としては次のような処理が実行される。
【００８８】
即ち、図７のステップＳ４１において、制御部１０１は、コンテンツ処理部１０５を制御して、再生停止要求があったか否かを判定する。
【００８９】
再生停止要求がまだなされていない場合、ステップＳ４１の処理でＮＯであると判定されて、再生停止時処理は終了となる。
【００９０】
これに対して、再生停止要求があった場合、ステップＳ４１の処理でＹＥＳであると判定されて、処理はステップＳ４２に進む。
【００９１】
ステップＳ４２において、制御部１０１は、コンテンツ処理部１０５を制御して、再生停止処理を実行する。これにより、対応コンテンツの記録装置１１側での再生が停止し、処理はステップＳ４３に進む。
【００９２】
ステップＳ４３において、制御部１０１は、メモリカード上の対応コンテンツのレジューム情報を、再生停止時の再生位置に変更する。これにより、再生停止時処理は終了となる。
このように、再生停止時処理が実行されることで、次のような効果を奏することが可能になる。即ち、記録装置１１側で再生が停止した位置が、メモリカード側のレジューム情報に反映されている。よって、外部機器側で、対応コンテンツの再生をする場合には、その反映された位置、即ち、記録装置１１側で再生が停止した位置からの再生開始ができる、という効果を奏することが可能になる。
【００９３】
次に、図８を参照して記録装置１１とメモリカードとの接続が解除された際の記録装置１１の処理（以下、接続解除時処理と称する）の一例について説明する。
【００９４】
ステップＳ６１において、制御部１０１は、通信制御部１０４を制御して、メモリカードと接続中であるか否かを判定する。
【００９５】
例えばこのステップＳ６１の処理は、メモリカードと接続後、所定周期毎に実行されるとする。即ち、所定周期毎に、メモリカードとの接続有無の確認が行われるとする。そして、かかる確認の際、メモリカードが接続されていた場合、ステップＳ６１の処理でＹＥＳであると判定されて、接続解除時処理は終了となる。
【００９６】
これに対して、かかる確認の際、メモリカードが接続されていなかった場合、即ち、メモリカードとの接続が切断された場合、ステップＳ６１の処理でＮＯであると判定されて、処理はステップＳ６２に進む。
【００９７】
図８では図示はしないが、ステップＳ６１の処理でＮＯであると判定した場合には、制御部１０１は、通信制御部１０４を制御して、記録媒体１２を記録装置１１の管理下から外す処理を実行するとする。かかる処理の結果、外部機器は、メモリカード内のコンテンツを再生できるようになる。
【００９８】
ステップＳ６２において、制御部１０１は、コンテンツ処理部１０５を制御して、一時的活性状態のコンテンツを再生中であるか否かを判定する。
【００９９】
一時的活性状態のコンテンツが再生されていない場合、ステップＳ６２の処理でＮＯであると判定されて、処理はステップＳ６４に進む。ただし、ステップＳ６４以降の処理については後述する。
【０１００】
これに対して、一時的活性状態のコンテンツが再生されていた場合、ステップＳ６２の処理でＹＥＳであると判定されて、処理はステップＳ６３に進む。
【０１０１】
ステップＳ６３において、制御部１０１は、コンテンツ処理部１０５を制御して、再生停止処理を実行する。
【０１０２】
ステップＳ６４において、制御部１０１は、コンテンツ処理部１０５を制御して、一時的活性状態のコンテンツの管理情報を、不活性状態へ変更する。
【０１０３】
ステップＳ６５において、制御部１０１は、コンテンツ処理部１０５を制御して、全てのコンテンツの管理情報の変更が完了したか否かを判定する。
【０１０４】
一時的活性状態となっている管理情報がまだ存在する場合、ステップＳ６５の処理でＮＯであると判定されて、処理はステップＳ６４に戻され、それ以降の処理が繰り返される。
【０１０５】
これに対して、一時的活性状態となっている管理情報が存在しなくなった場合、ステップＳ６５の処理でＹＥＳであると判定されて、接続解除時処理は終了となる。
【０１０６】
このようにして、接続解除時処理が終了すると、記録装置１１にムーブバックされていたコンテンツは、メモリカード上に再度ムーブアウトされたことになる。よって、それ以降、かかるコンテンツは記録装置１１側で再生が不可能になる。
【０１０７】
即ち、接続解除時処理とは、再度のムーブアウト処理に該当するが、当該処理中、コンテンツデータの転送は行われていないので、従来の再度のムーブアウト処理と比較すると、その処理時間が短縮でき、ユーザの利便性が向上する、という上述の効果を奏することが可能になる。
【０１０８】
ところで、上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な図４の記録装置１１等を適宜含むコンピュータや、汎用のパーソナルコンピュータなどに、プログラム記録媒体からインストールされる。
【０１０９】
コンピュータにインストールされ、コンピュータによって実行可能な状態とされるプログラムを格納するプログラム記録媒体は、図４に示されるように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア１０８、または、プログラムが一時的もしくは永続的に格納されるROM１０２や、記憶部１０６を構成するハードディスクなどにより構成される。プログラム記録媒体へのプログラムの格納は、必要に応じて通信制御部１０４を介して、ローカルエリアネットワーク、インターネット、デジタル衛星放送といった、有線または無線の通信媒体を利用して行われる。
【０１１０】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１１１】
【図１】本発明のムーブ手法の概略を説明する図である。
【図２】本発明のムーブ手法の概略を説明する図である。
【図３】本発明のムーブ手法の概略を説明する図である。
【図４】本発明が適用される情報処理装置の一実施の形態のムーブ元機器としての記録装置の構成例を示す図である。
【図５】図４のムーブ元機器が実行する接続時処理例を説明するフローチャートである。
【図６】図４のムーブ元機器が実行する再生中処理例を説明するフローチャートである。
【図７】図４のムーブ元機器が実行する再生停止処理例を説明するフローチャートである。
【図８】図４のムーブ元機器が実行する接続解除時処理例を説明するフローチャートである。
【符号の説明】
【０１１２】
１１  記録装置，  １２  記録媒体，  ２１  コンテンツ，  ２１−Ｃ，２１−Ｏ  コンテンツデータ，  １０１  制御部，  １０２  ROM，  １０３  RAM，  １０４  通信制御部，  １０５  コンテンツ処理部，  １０６  記憶部，  １０７  ドライブ，  １０８  リムーバブルメディア
【図１】
2009048265.tif 000003
【図２】
2009048265.tif 000004
【図３】
2009048265.tif 000005
【図４】
2009048265.tif 000006
【図５】
2009048265.tif 000007
【図６】
2009048265.tif 000008
【図７】
2009048265.tif 000009
【図８】
2009048265.tif 000010